(57)【要約】      （修正有）【課題】パネル同士の隙間を塞ぐと共に、指が挟まれても、指への押圧力を軽減させることができる折れ戸を提供する。【解決手段】折れ戸は、両方の扉１００が第１パネル１１０と第２パネル１２０とを備えており、第１パネルと第２パネルとが折れ曲がるようにして開き、閉じると直線状に並ぶ。扉が閉じたときに、第１パネルと第２パネルとの対向する端面１１１，１２１には、隙間Ｓ１の中心位置Ｐ１を超えるように突出した軟質部材による凸部１３０，１４０が、それぞれ設けられている。第１パネルに設けられた凸部１３０は、端面１１１の幅方向Ｆ３の中心から一側に寄った位置に配置されている。第２パネルに設けられた凸部１４０は、端面１２１の幅方向Ｆ３の中心から他側に寄った位置に配置されている。そして両凸部は、互いに離れる方向に向かって傾斜して突出している。【選択図】図４
0003200038.tif 000002
【実用新案登録請求の範囲】
【請求項１】
少なくとも一方のパネルと他方のパネルとを有し、前記一方のパネルと他方のパネルとが折れ曲がるようにして開き、前記一方のパネルと他方のパネルとが閉じると直線状に並ぶ折れ戸において、
前記一方のパネルと他方のパネルとが閉じたときに対向する端面に、前記一方のパネルと他方のパネルとの隙間の中心位置を超えるように突出した軟質部材による凸部が、それぞれ設けられ、
前記一方のパネルに設けられた前記凸部は、前記端面の幅方向の中心から一側に寄った位置に配置され、前記他方のパネルに設けられた前記凸部は、前記端面の幅方向の中心から他側に寄った位置に配置されていると共に、前記凸部は互いに離れる方向に向かって傾斜して突出している折れ戸。
【請求項２】
前記凸部は、水平断面が三角形状に形成されている請求項１記載の折れ戸。
【請求項３】
前記対向する端面に、上下方向に延びる嵌合溝が形成され、
前記凸部は、頂部を対向方向に突出させた突起部と、前記突起部の基端部に形成され、前記嵌合溝に嵌合する嵌合部とを備えた請求項１または２記載の折れ戸。
【請求項４】
前記一方のパネルは、一方の扉の戸先側となるパネルであり、
前記凸部は、前記戸先側となる一方のパネルと、前記戸先側となる一方のパネルと対になって両開きする他方の扉の戸先側となるパネルとにも設けられている請求項１から３のいずれかの項に記載の折れ戸。
【考案の詳細な説明】
【技術分野】
【０００１】
本考案は、複数のパネルが折れ曲がるようにして開き、前記複数のパネルが閉じると前記複数のパネルが直線状に並ぶ折れ戸に関するものである。
【背景技術】
【０００２】
折れ戸は、扉を分割する複数のパネルが折れ曲がるようにして開くため、扉の回動範囲が狭い。従って、折れ戸は、折れ戸の前後のスペースが広く取れない開口部には好適である。特に、車椅子に乗る身体障害者が使用するトイレブースおいては、扉が円弧を描くように大きく開く開き戸では、車椅子が扉の回動の邪魔になって開けにくいが、折れ戸であれば戸先が直線状に移動するため車椅子が邪魔になり難い。このような折れ戸は、住居のクローゼットなどでも使用されている。
【０００３】
折れ戸は、上述したような利点がある反面、扉を閉じるときに、それぞれのパネルの端面同士が接近して対向するときに、パネルの端面同士の間に指を挟むおそれがある。このような折れ戸の指挟みへの対策として、特許文献１，２に記載されたものが知られている。
【０００４】
特許文献１に記載の折れ戸の折れ構造は、隣り合う折れ戸本体のそれぞれの木口部に、断面略半円形状のカバー体が、互いの略半円面部が対向するように取り付けられ、各カバー体に、その略半円面部において中心線を境にして片側に偏位した凹溝部と凸条部とが設けられ、一方のカバー体の凹溝部および凸条部と、他方のカバー体の凸条部および凹溝部とが、折れ戸閉時に互いに係り合うように形成されている。
【０００５】
特許文献２に記載の折れ戸は、複数枚のパネルを折り畳み可能とする蝶番部が取着される框に、弾性材で形成した遮光部材をそれぞれ取着し、パネルを直線状に引き延ばしたとき、蝶番部を透過する光を遮断するように、対向する遮光部材の先端部を突出させると共に、先端部間には所定の間隙を設けられている。
【先行技術文献】
【特許文献】
【０００６】
【特許文献１】特開２００２−２４２５４７号公報
【特許文献２】特開２００４−１６９３１５号公報
【考案の概要】
【考案が解決しようとする課題】
【０００７】
しかし、特許文献１に記載の折れ戸の折れ構造では、凸条部同士が、折れ戸閉時に互いに係り合うように形成されているため、指を挟んだときに、きつく指を締め付けるため、凸条部が軟質樹脂製であったとしても、指にダメージを与えてしまう。
また、特許文献２に記載の折れ戸は、遮光部材がまっすぐ突出し、遮光部材の先端部が所定の間隙を隔てて互い違いとなるように楔状に形成されているため、楔状の先端部同士の間に指を挟み込みと、やはり指に対して大きな押圧力が掛かる。従って、遮光部材が中空状の合成ゴム材により形成されていたとしても、指にダメージを与えてしまう。
【０００８】
折れ戸は、パネル同士の間隔が狭いと、扉が閉まるときに指を大きな力で挟み込んでしまう。そのため、その間隔を広げればよいが、パネル同士の隙間を大きく開けると、扉の向こう側が見えてしまう。
特許文献１に記載の折れ戸の折れ構造における凸条部や、特許文献２に記載の折れ戸の遮光部材は、パネル同士の間隔を開けつつ、パネル同士の隙間を塞ぐことで、扉の向こう側が見えないようにすると共に、指が挟まれても指への負担を軽減するように考えられたものではあるが、更なる指への負担の軽減が求められている。
【０００９】
そこで本考案は、パネル同士の隙間を塞ぐと共に、指が挟まれても、指への押圧力を更に軽減させることができる折れ戸を提供することを目的とする。
【課題を解決するための手段】
【００１０】
本考案は、少なくとも一方のパネルと他方のパネルとを有し、前記一方のパネルと他方のパネルとが折れ曲がるようにして開き、前記一方のパネルと他方のパネルとが閉じると直線状に並ぶ折れ戸において、前記一方のパネルと他方のパネルとが閉じたときに対向する端面に、前記一方のパネルと他方のパネルとの隙間の中心位置を超えるように突出した軟質部材による凸部が、それぞれ設けられ、前記一方のパネルに設けられた前記凸部は、前記端面の幅方向の中心から一側に寄った位置に配置され、前記他方のパネルに設けられた前記凸部は、前記端面の幅方向の中心から他側に寄った位置に配置されていると共に、前記凸部は互いに離れる方向に向かって傾斜して突出していることを特徴とする。
【００１１】
本考案によれば、凸部が隙間の中心位置を超えるように突出しているため、この隙間を通じて向こう側が見えることを防止することができる。一方のパネルに設けられた凸部が端面の幅方向の中心から一側に寄った位置に配置され、他方のパネルに設けられた凸部が端面の幅方向の中心から他側に寄った位置に配置されているため、凸部同士は、端面の幅方向に対してずれた位置に配置される。そのため、凸部が指を挟む位置が、指の長さ方向で、ずれた位置となるので、凸部が向き合って、指をきつく締め付けてしまうことを防止することができる。更に、凸部は互いに離れる方向に向かって傾斜して突出しているため、凸部が真っ直ぐに突出するより、更に離れて位置させることができる。そのため、凸部の間に指を挟み込んでも、凸部を反対方向に向きながら変形させることができる。
【００１２】
前記凸部が、水平断面が三角形状に形成されていると、凸部が指に当たっても凸部の傾斜面に当たり変形するため、指への負担を軽減することができる。
【００１３】
前記対向する端面に、上下方向に延びる嵌合溝が形成され、前記凸部は、頂部を対向方向に突出させた突起部と、前記突起部の基端部に形成され、前記嵌合溝に嵌合する嵌合部とを備えていることが望ましい。凸部の嵌合部が、端面に形成された上下方向に延びる嵌合溝に嵌合させることにより、凸部を端面および端面に、容易に設けることができる。
【００１４】
前記一方のパネルは、一方の扉の戸先側となるパネルであり、前記凸部は、前記戸先側となる一方のパネルと、前記戸先側となる一方のパネルと対になって両開きする他方の扉の戸先側となるパネルとにも設けられていることが望ましい。
戸先側となる一方のパネルと、他方の扉の戸先側となるパネルとにも、凸部が設けられていることで、両開きする扉同士の間において指が挟まれも、凸部によってきつく締め付けられてしまうことを防止することができる。
【考案の効果】
【００１５】
本考案の折れ戸によれば、凸部の間に指を挟み込んでも、凸部が正面から向き合って、指をきつく締め付けてしまうことを防止することができ、凸部を反対方向に向かせながら変形させることができるので、パネル同士の隙間を塞ぐと共に、指が挟まれても、指への押圧力を更に軽減させることができる。
【図面の簡単な説明】
【００１６】
【図１】本考案の実施の形態に係る折れ戸の正面図であり、（Ａ）は閉じた状態の図、（Ｂ）はパネルがＶ字状に折れた状態の図である。
【図２】図１に示す折れ戸が閉鎖状態にあるときの水平断面図である。
【図３】図２に示す折れ戸が開放状態にあるときの水平断面図である。
【図４】図２に示す折れ戸の第１パネルと第２パネルとの連結部分の拡大図である。
【図５】図２に示す折れ戸の第１パネル同士が対向する部分の拡大図である。
【考案を実施するための形態】
【００１７】
本考案の実施の形態に係る折れ戸について、図面に基づいて説明する。
図１（Ａ）および同図（Ｂ）に示す折れ戸１０は、クローゼットの両開き戸として開口部に取付けられる。折れ戸１０は、左側の扉１００（一方の扉）と、右側の扉１００（他方の扉）のそれぞれが、第１パネル１１０（一方のパネル）と、第２パネル１２０（他方のパネル）とを備えている。第１パネル１１０および第２パネル１２０は、矩形状の板材により形成されている。
第１パネル１１０は、それぞれの扉１００の戸先側となるパネルである。第２パネル１２０は、それぞれの扉１００の戸尻側となるパネルである。
【００１８】
折れ戸１０は、図２および図３に示すように、第１パネル１１０および第２パネル１２０が折れ曲がるようにして開き、閉じると直線状に並ぶように、丁番１０１により連結されている。第１パネル１１０のおもて側における上下方向Ｆ１（図１（Ａ）参照）の中央部には、取手１０２が取付けられている。
【００１９】
第１パネル１１０と第２パネル１２０とが閉じたときに、第１パネル１１０の端面１１１と、第２パネル１２０の端面１２１とが対向する。この端面１１１，１２１は、第１パネル１１０および第２パネル１２０の端部を覆うカバー１１２，１２２によって形成されている。
図４に示すように、カバー１１２，１２２は、水平断面が略Ｕ字状に形成され、第１パネル１１０および第２パネル１２０の端部をカバー１１２，１２２の開口側に嵌めこませて装着されている。カバー１１２，１２２には、上下方向Ｆ１（図１（Ａ）参照）に延びる嵌合溝１１３，１２３が形成されている。
【００２０】
嵌合溝１１３，１２３は、両方の開口縁部１１３ａ，１２３ａが互いに接近する方向に突出することで、開口部の幅が溝内の幅より狭く形成されている。
この嵌合溝１１３，１２３に、第１パネル１１０と第２パネル１２０との隙間Ｓ１の中心位置Ｐ１を超えるように突出した軟質部材による凸部１３０，１４０が嵌合している。
【００２１】
ここで、凸部１３０，１４０について、図４に基づいて詳細に説明する。
凸部１３０，１４０は、ゴム製の中空部材により形成されている。凸部１３０，１４０は、頂部１３１ａ，１４１ａを対向方向Ｆ２に突出させた突起部１３１，１４１と、突起部１３１，１４１の基端部に形成され、嵌合溝１１３，１２３に嵌合する嵌合部１３２，１４２とを備えている。
【００２２】
第１パネル１１０に設けられた凸部１３０は、端面１１１の幅方向Ｆ３の中心位置Ｐ２から一側に寄った位置に形成された嵌合溝１１３に配置されている。また、第２パネル１２０に設けられた凸部１４０は、端面１２１の幅方向Ｆ３の中心位置Ｐ２から他側に寄った位置に形成された嵌合溝１２３に配置されている。そして、これらの凸部１３０，１４０は互いに離れる方向に向かって傾斜して突出している。
つまり、凸部１３０は、突起部１３１の水平断面が三角形状に形成されているため、基端側となる底辺１３１ｂの中心から、頂部１３１ａへ延びる仮想直線Ｌ１が一側方向に傾斜するように形成されている。また、凸部１４０は、突起部１４１の水平断面が三角形状に形成されているため、基端側となる底辺１４１ｂの中心から、頂部１４１ａへ延びる仮想直線Ｌ２が他側方向に傾斜するように形成されている。
ここで、一側は折れ戸１０が設けられたクローゼットの奥側、他側はクローゼットの外側である。
【００２３】
第１パネル１１０および第２パネル１２０にそれぞれ設けられた凸部１３０，１４０の組み合わせは、図２および図３に示すように、戸先側となる第１パネル１１０の閉鎖状態のときに向き合う第１パネル１１０同士の端面１１４，１２４にも同様に設けられている。
この端面１１４，１１４に設けられた凸部１３０，１４０と、図４に示す端面１１１，１２１に設けられた凸部１３０，１４０とは、第１パネル１１０，１１０の水平断面を平面視したときに、鏡写しのように配置されているため、同符号を付して説明は省略する。
【００２４】
以上のように構成された本考案の実施の形態に係る折れ戸１０について、その使用状態を、図面に基づいて説明する。
図２に示すように、折れ戸１０が閉鎖状態であるときには、図４に示すように第１パネル１１０と第２パネル１２０との間に隙間Ｓ１がある。
しかし、凸部１３０，１４０が隙間Ｓ１の中心位置Ｐ１を超えるように突出しているため、クローゼットの外側から隙間Ｓ１を通じてクローゼットの奥側が見えることを防止することができる。また、図５に示すように、扉１００，１００の戸先側の第１パネル１１０同士の隙間Ｓ２でも同様に、凸部１３０，１４０が隙間Ｓ２の中心位置Ｐ１を超えるように突出しているため、クローゼットの外側から隙間Ｓ１を通じてクローゼットの奥側が見えることを防止することができる。
【００２５】
図２に示すように、使用者が折れ戸１０を開こうとするときには、使用者が取手１０２を把持して第１パネル１１０を左右に移動させる。そうすると、図３に示すように、第１パネル１１０と第２パネル１２０とは、Ｖ字状に折れ曲がって、第１パネル１１０と第２パネル１２０との成す角度が小さくなりながら、第１パネル１１０の戸先側の端部が直線的に左右に移動して、扉１００，１００が開放状態となる。
【００２６】
そして、使用者が、この折れ戸１０を閉めようとするときには、取手１０２を把持して第１パネル１１０を開口部の中央に向かって移動させる。そうすると、第１パネル１１０と第２パネル１２０とは、Ｖ字状の第１パネル１１０と第２パネル１２０との成す角度が大きくなりながら、第１パネル１１０の戸先側の端部が直線的に開口部の中央に移動し、図２に示すように、第１パネル１１０と第２パネル１２０とが直線状になって、扉１００，１００が閉鎖状態となる。
【００２７】
このとき、図４に示すように、第１パネル１１０と第２パネル１２０との間の隙間Ｓ１や、図５に示すように、戸先として向き合う第１パネル１１０同士の隙間Ｓ２に指が入り込むことがある。
しかし、本実施の形態に係る折れ戸１０には、第１パネル１１０と第２パネル１２０の対向する端面１１１，１２１や、第１パネル１１０の戸先側となる端面１１４，１２４には、軟質部材により形成された凸部１３０，１４０が設けられている。
そのため、凸部１３０，１４０に指が挟まれても、端面１１１，１２１と、端面１１４，１２４とに設けられた硬質のカバー１１２，１２２に直接挟まれるよりは痛みが軽減される。
また、凸部１３０，１４０にが、水平断面が三角形状に形成されているため、凸部１３０，１４０が指に当たっても凸部１３０，１４０の傾斜面１３１ｃ，１４１ｃに当たり変形するため、指への負担を軽減することができる。
【００２８】
特に、凸部１３０が端面１１１の幅方向Ｆ３の中心位置Ｐ２から一側に寄った位置に配置され、凸部１４０が端面１２１の幅方向Ｆ３の中心位置Ｐ２から他側に寄った位置に配置されているため、凸部１３０，１４０は、端面１１１，１２１（端面１１４，１２４）の幅方向Ｆ３に対してずれて配置されている。
例えば、凸部が端面１１１，１２１の幅方向Ｆ３に対して同じ位置に配置されていると、凸部が指を両側から同じ位置で挟み込んでしまうため、より痛さが増す。
【００２９】
しかし、凸部１３０，１４０は幅方向Ｆ３に対してずれた位置に配置されているため、凸部１３０，１４０が指を挟む位置が、指の長さ方向で、ずれた位置となる。そのため、凸部１３０，１４０が向き合って、指をきつく締め付けてしまうことを防止することができる。
また、凸部１３０，１４０は互いに離れる方向に向かって傾斜して突出しているため、挟み込む間隔を拡げることができる。従って、指への締付を緩和させることができる。
【００３０】
更に、凸部１３０が一側に、凸部１４０が他側に寄った位置に配置されているだけでなく、凸部１３０，１４０は互いに離れる方向に向かって傾斜して突出しているため、凸部１３０，１４０の頂部１３１ａ，１４１ａを、真っ直ぐに突出するより、更に離れて位置させることができる。そのため、凸部１３０，１４０の間に指を挟み込んでも、凸部１３０，１４０が反対方向に向きながら変形する。
従って、折れ戸１０の凸部１３０，１４０は、パネル（第１パネル１１０と第２パネル１２０）同士の隙間を塞ぐと共に、指が挟まれても、指への押圧力を更に軽減させることができる。
【００３１】
また、凸部１３０，１４０は互いに離れる方向に向かって突出しているため、折れ戸１０が閉じる際に、凸部１３０，１４０同士が勢いよく衝突することを回避することができる。更に、凸部１３０，１４０は、折れ戸１０が閉じた状態や開いた状態でも、非接触状態であるため、凸部１３０，１４０が押圧し合うことによる劣化を軽減することができる。
【００３２】
凸部１３０，１４０の嵌合部１３２，１４２が、カバー１１２，１２２に形成された上下方向に延びる嵌合溝１１３，１２３に嵌合させることにより、凸部１３０，１４０を端面１１１，１２１および端面１１４，１２４に、容易に設けることができる。
【００３３】
また、図４に示すように、凸部１３０が、戸尻側となる第２パネル１２０と対向する第１パネル１１０の端面１１１だけでなく、第１パネル１１０の戸先側の端面１１４にも設けられていると共に、図５に示すように、凸部１４０が、左側の扉１００の第１パネル１１０と対となって両開きする右側の扉１００の戸先側となる第１パネル１１０とにも設けられている。従って、扉１００の第１パネル１１０と第２パネル１２０との間に指が挟まれたときと同様に、両開きする扉１００同士の間において指が挟まれも、凸部１３０，１４０によって、きつく締め付けられてしまうことを防止することができる。
【００３４】
なお、凸部１３０，１４０は軟質部材により形成され、カバー１１２，１２２に取付けられていたが、凸部１３０，１４０とカバー１１２，１２２とを軟質部材により一体的に形成してもよい。
また、扉１００は、第１パネル１１０と第２パネル１２０との２枚のパネルによる折れ戸であったが、３枚以上のパネルによる折れ戸としてもよい。
【産業上の利用可能性】
【００３５】
本考案は、トイレブースやクローゼット、店舗、運搬車両の扉などに好適である。
【符号の説明】
【００３６】
１０  折れ戸
１００  扉
１０１  丁番
１０２  取手
１１０  第１パネル
１２０  第２パネル
１１１，１２１  端面
１１２，１２２  カバー
１１３，１２３  嵌合溝
１１３ａ，１２３ａ  開口縁部
１１４，１２４  端面
１３０，１４０  凸部
１３１，１４１  突起部
１３１ａ，１４１ａ  頂部
１３１ｂ，１４１ｂ  底辺
１３１ｃ，１４１ｃ  傾斜面
１３２，１４２  嵌合部
Ｆ１  上下方向
Ｆ２  対向方向
Ｆ３  幅方向
Ｓ１，Ｓ２  隙間
Ｐ１，Ｐ２  中心位置
Ｌ１，Ｌ２  仮想直線
【図１】
0003200038.tif 000003
【図２】
0003200038.tif 000004
【図３】
0003200038.tif 000005
【図４】
0003200038.tif 000006
【図５】
0003200038.tif 000007